【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
（ａ）垂直軸の周りの管状キャビティを画定するハウジングアセンブリ；
（ｂ）前記垂直軸の周りの前記ハウジング内に設置される外側フープアセンブリ；
（ｃ）複数の離間したＸ線輝尽性検知器部材を支持する管状内側フープアセンブリであって、前記垂直軸の周りで前記外側フープアセンブリの内側にある前記ハウジングに回転可能に連結される、内側フープアセンブリ；
（ｄ）前記管状キャビティ内の対象をＸ線エネルギに曝露するよう適合されたＸ線源であって、前記外側フープアセンブリに可動に連結され、前記外側フープアセンブリと共通の円弧の周りを移動して前記管状キャビティ内に位置する前記対象を曝露するよう適合される、Ｘ線源；
（ｅ）前記内側フープアセンブリと前記外側フープアセンブリとの間で前記ハウジング内に設置され、前記Ｘ線探知機部材のうち少なくとも１つを走査するよう、及び前記検知器部材から前記Ｘ線エネルギを取得するよう適合され、前記コンピュータラジオグラフティデバイスは、そのような走査のためのヘッドを利用する、コンピュータラジオグラフィデバイス；
（ｆ）前記管状キャビティの周りで、前記検知器手段を前記ラジオグラフィデバイスに対して回転させるよう適合される、第１の駆動装置；及び
（ｇ）前記Ｘ線源を前記管状キャビティの周りの前記共通の円弧に沿って移動させるよう適合される、第２の駆動装置；
を備える、コンピュータトモグラフィシステムであって、
（ｈ）前記内側フープ及び前記Ｘ線源は、前記管状キャビティの周りを独立して回転可能であり、これにより、前記対象を複数の視野からＸ線に曝露し、
（ｉ）前記内側フープアセンブリが前記ハウジングに対して回転する際、前記検知器部材は前記ラジオグラフィデバイスに対して回転してこれに隣接し、これにより、前記ラジオグラフィデバイスは前記隣接する検知器部材から、保持されているいずれのＸ線曝露エネルギを取得することを特徴とするコンピュータトモグラフィシステム。
【請求項２】
前記輝尽性検知器部材は、前記内側フープアセンブリの外側表面に固定された複数の輝尽性プレートを備える、請求項１に記載のコンピュータトモグラフィシステム。
【請求項３】
前記コンピュータラジオグラフィデバイスは、前記輝尽性プレートのうち少なくとも１つに蓄積された前記Ｘ線エネルギを消去するよう適合される、請求項２に記載のコンピュータトモグラフィシステム。
【請求項４】
前記コンピュータラジオグラフィデバイスは、ダイレクトラジオグラフィとして機能するよう適合される、請求項２に記載のコンピュータトモグラフィシステム。
【請求項５】
前記検知器部材は、前記内側フープアセンブリに着脱可能に固定されたカセット内に設置される複数の輝尽性プレートを備える、請求項１に記載のコンピュータトモグラフィシステム。
【請求項６】
前記検知器部材は、前記内側フープアセンブリに固定された複数のデジタル検知器パネルを備える、請求項１に記載のコンピュータトモグラフィシステム。
【請求項７】
前記内側フープアセンブリは、前記Ｘ線源が前記管状キャビティの周りを回転する速度とは異なる速度で、前記管状キャビティの周りを回転する、請求項１に記載のコンピュータトモグラフィシステム。
【請求項８】
前記コンピュータラジオグラフィデバイスは前記ハウジングに固定され、及び前記内側フープアセンブリは前記走査ヘッドアセンブリに隣接した検知器部材のうち少なくとも１つを回転させる、請求項２に記載のコンピュータトモグラフィシステム。
【請求項９】
前記対象は、前記コンピュータラジオグラフィデバイスが検知器部材を走査しているとき実質上同時に、前記Ｘ線源からの前記Ｘ線に曝露される、請求項８に記載のコンピュータトモグラフィシステム。
【請求項１０】
（ａ）より大きな外側円筒形フープアセンブリ内に位置決めされる円筒形内側フープアセンブリと、前記内側フープアセンブリ及び外側フープアセンブリに連結されてその間の円筒形キャビティを画定する複数の側部プレートとを有する、管状ガントリアセンブリであって、前記内側フープアセンブリ内部に画定される管状キャビティ内で対象を受容して通過させるよう適合される、ガントリアセンブリ；
（ｂ）前記外側フープアセンブリに連結され、前記管状キャビティ内に配置された対象を通るＸ線エネルギを放出するよう適合される、Ｘ線源；
（ｃ）前記内側フープアセンブリの外側表面に連結され、前記対象を通過した前記Ｘ線を受容するよう適合される、複数の離間した輝尽性ストレージ蛍光体表面；
（ｄ）走査ヘッド、前記内側フープと前記外側フープとの間で前記ガントリアセンブリに連結されるコンピュータラジオグラフティデバイスを備え、前記ストレージ蛍光体表面を走査して前記蓄積されたＸ線エネルギから画像を取得するよう適合される、コンピュータラジオグラフィデバイス；
（ｅ）前記蛍光体表面を、前記管状キャビティの周りで前記走査ヘッドに対して回転させるよう適合され、これにより前記コンピュータラジオグラフィデバイスは前記蓄積されたＸ線エネルギを取得することができる、内側フープ駆動アセンブリ；並びに
（ｆ）前記管状キャビティと共通な垂直軸を有する円弧の周りで前記Ｘ線源を移動させるよう適合される、Ｘ線源駆動；
を備える、コンピュータトモシンセシスシステムであって、
（ｇ）前記内側フープアセンブリは、前記内側管状キャビティの周りを前記外側フープアセンブリに対して回転可能であることを特徴とするコンピュータトモシンセシスシステム。
【請求項１１】
前記輝尽性ストレージ蛍光体表面は針形蛍光体を含む、請求項１０に記載のコンピュータトモシンセシスシステム。
【請求項１２】
前記コンピュータラジオグラフティデバイスと前記ストレージ蛍光体表面は非破壊試験での使用に適合される、請求項１０に記載のコンピュータトモシンセシスシステム。
【請求項１３】
前記Ｘ線源は、前記管状キャビティ内に回転軸を有する円弧の周りで可動であり、これにより、前記円弧に沿った複数の位置から前記対象にＸ線を曝露することができる、請求項１０に記載のコンピュータトモシンセシスシステム。
【請求項１４】
前記対象は、前記コンピュータラジオグラフィデバイスがストレージ蛍光体の表面を走査しているとき実質上同時に、前記Ｘ線源からの前記Ｘ線に曝露される、請求項１０に記載のコンピュータトモシンセシスシステム。
【請求項１５】
前記ストレージ蛍光体の表面のうちの少なくとも１つが針状蛍光体複合物を含む、請求項１０に記載のコンピュータトモシンセシスシステム。
【請求項１６】
前記走査ヘッドは、前記ストレージ蛍光体表面上を通過して前記蓄積されたＸ線エネルギから画像を取得し、走査ヘッドは光捕集アセンブリ及び光学アセンブリを支持する外側ハウジングを備える、請求項１０に記載のコンピュータトモシンセシスシステム。
【請求項１７】
前記走査ヘッドは前記ガントリアセンブリに連結され、これにより、前記内側フープ駆動アセンブリによって前記内側フープが回転しているときに、前記ストレージ蛍光体表面を走査することができる、請求項１６に記載のコンピュータトモシンセシスシステム。
【請求項１８】
前記走査ヘッドは前記内側フープアセンブリに対して可動であり、これにより、他の前記蛍光体表面状にＸ線が曝露されている間、前記ストレージ蛍光体表面を走査することができる、請求項１６に記載のコンピュータトモシンセシスシステム。
【請求項１９】
前記ストレージ蛍光体は、前記内側フープの表面上に直接コーティングされる、請求項１０に記載のコンピュータトモシンセシスシステム。
【請求項２０】
前記ストレージ蛍光体は、前記内側フープアセンブリの湾曲した前記外側表面に連結される、湾曲したストレージ蛍光体プレートを備える、請求項１０に記載のコンピュータトモシンセシスシステム。